(57)【要約】【課題】精密で安価なログハウス型構造物を提供する。【解決手段】第１木質合成材１１と、これと直交する同様な形状の第１木質合成材１１を、夫々の第１木質合成材１１両端に備えられた貫通孔２３同士をジョイント部材１７を介して直交状態で交差して交互に段重ねし、第１木質合成材１１を段重ねした際の隙間には、透光板材１２を第１木質合成材１１の溝部２１及び交差溝部２２とに嵌合して壁体を構成し、この壁体で四方を囲み、その上部には屋根部１３を設置し、下部にはログハウス基部１６を平行に配置し、ログハウス基部１６に第１木質合成材１１を並べることで床部を構成し、上記の床部に壁体を重ねることで家を構成している。【選択図】図１
2004068582.tif 000002
【特許請求の範囲】
【請求項１】
長手方向に連続する中空部を有する本体部と、該本体部の上面及び下面に長手方向に延びる１対の溝部と、前記本体部の両端部の上面及び下面の短手方向に形成される凹み形状の２対の交差嵌合部と、を有する一体的に押出し成形された複数の長尺の第１木質合成材と、
該第１木質合成材の前記溝部に前記第１木質合成材よりも薄肉の透光板材を嵌合させて前記第１木質合成材と透光板材とを上下方向に積み重ねて壁体を構成し、
前記第１木質合成材と、他の第１木質合成材との交差嵌合部を嵌合させて段違いに直交させて角部を構成し、
出入口の近辺又は前記角部において、前記第１木質合成材よりも短尺であって、長手方向に連続する中空部を有する本体部と、該本体部の上面及び下面に長手方向に延びる１対の溝部と、前記本体部の両端部の上面及び下面の短手方向に形成される凹み形状の１対の交差嵌合部と、を有する一体的に押出し成形された複数の第２木質合成材を該第１木質合成材と平行に所定間隙を置いて配置し、
前記第１木質合成材と他の第１木質合成材の交差嵌合部、及び、前記第１木質合成材と第２木質合成材の交差嵌合部を縦方向に貫通する貫通孔を設け、
前記貫通孔に固定具を上下方向に挿通又は嵌通させて前記木質合成材を固定することを特徴とするログハウス型構造物。
【請求項２】
長手方向に連続する中空部を有する本体部と、該本体部の上面及び下面に長手方向に延びる溝部と、前記本体部の両端部の上面及び下面の短手方向に形成される凹み形状の交差嵌合部と、を有する一体的に押出し成形された複数の長尺の第１木質合成材と、
該第１木質合成材の前記溝部に前記第１木質合成材よりも薄肉の透光板材を嵌合させて前記第１木質合成材と透光板材とを上下方向に積み重ねて壁体を構成し、
前記第１木質合成材と他の第１木質合成材の交差嵌合部を嵌合させて直交させて角部を構成したログハウス型構造物であって、
前記第１木質合成材を一直線状に延長する場合において、
延長すべき前記第１木質合成材の木口面と、延長される他の第１木質合成材の木口面とを対面させて間隙を置いて突き合せて一直線状に配置し、
前記第１木質合成材よりも短尺であって長手方向に連続する中空部を有する本体部と、該本体部の上面及び下面に長手方向に延びる１対の溝部と、前記本体部の上面及び下面の短手方向に形成される凹み形状の２対の交差嵌合部と、を有する一体的に押出し成形された複数の第２木質合成材を前記第１木質合成材と平行に所定間隙を置いて、前記突合せ面に亘って配置し、
前記第１木質合成材よりも短尺であって長手方向に連続する中空部を有する本体部と、該本体部の上面及び下面に長手方向に延びる１対の溝部と、前記本体部の上面及び下面の短手方向に形成される凹み形状の２対の交差嵌合部と、を有する一体的に押出し成形された複数の第３木質合成材を、前記第１木質合成材、延長される他の第１木質合成材、及び前記第２木質合成材とに対して段違いに各々直交して井桁状に交差嵌合させて配置し、
前記第１木質合成材乃至第３木質合成材の交差嵌合部を縦方向に貫通する貫通孔を設け、
前記貫通孔に固定具を挿通又は嵌通させて前記木質合成材を固定することを特徴とするログハウス型構造物。
【請求項３】
長手方向に連続する中空部を有する本体部と、該本体部の上面及び下面に長手方向に延びる溝部と、前記本体部の両端部の上面及び下面の短手方向に形成される凹み形状の２対の交差嵌合部と、を有する一体的に押出し成形された複数の長尺の第１木質合成材と、
該第１木質合成材の前記溝部に前記第１木質合成材よりも薄肉の透光板材を嵌合させて前記第１木質合成材と透光板材とを上下方向に積み重ねて壁体を構成し、
前記第１木質合成材と他の第１木質合成材の交差嵌合部を嵌合させて直交させて角部を構成したログハウス型構造物であって、
前記第１木質合成材で角部を構成する場合において、
第１木質合成材よりも短尺であって長手方向に連続する中空部を有する本体部と、該本体部の上面及び下面に長手方向に延びる１対の溝部と、前記本体部の上面及び下面の短手方向に形成される凹み形状の２対の交差嵌合部と、を有する一体的に押出し成形された複数の第２木質合成材を備え、
該第２木質合成材は、前記第１木質合成材と平行に所定間隙を置き、且つ、前記他の第１木質合成材で上下に挟まれつつ直交させて、片側の交差嵌合部が交差嵌合されており、
前記第１木質合成材よりも短尺であって長手方向に連続する中空部を有する本体部と、該本体部の上面及び下面に長手方向に延びる１対の溝部と、前記本体部の上面及び下面の短手方向に形成される凹み形状の２対の交差嵌合部と、を有する一体的に押出し成形された複数の第３木質合成材を備え、
該第３木質合成材は、前記他の第１木質合成材と平行に所定間隙を置き、且つ、前記第１木質合成材で上下に挟まれつつ直交させて、片側の交差嵌合部が交差嵌合されており、
更に、前記第２木質合成材及び第３木質合成材は、それぞれの他の交差嵌合部同士が角部の内側において直交して交差嵌合し、段違いに上下方向に積み上げられて、井桁構造状の交差嵌合部が形成されており、
前記第１木質合成材乃至第３木質合成材の交差嵌合部を縦方向に貫通する貫通孔を設け、
前記貫通孔に固定具を挿通又は嵌通させて前記木質合成材を固定することを特徴とするログハウス型構造物。
【請求項４】
前記木質合成材の溝部と交差する交差溝部を形成し、前記溝部と交差溝部とが交差する部分に前記貫通孔を形成し、前記溝部に前記透光板材の上下端部を嵌め込むとともに、前記交差溝部に前記透光板材の左右端部を嵌め込むことを特徴とする請求項１乃至３のログハウス型構造物。
【請求項５】
前記本体部にリブと、該リブによって仕切られる中空部とを有し、
前記交差嵌合部の切欠の深さが、該木質合成材の前記リブまでとすることを特徴とする請求項１乃至４記載のログハウス型構造物。
【請求項６】
前記透光板材は、プラスチック製であって多数の中空部を有することを特徴とする請求項１乃至５に記載のログハウス型構造物。
【請求項７】
前記押出し成形時の金型を変更することで、
任意の形状の木質合成材を成形できることを特徴とする請求項１乃至６記載のログハウス型構造物。
【請求項８】
前記本体部の内部がリブによって複数の中空部に分割され、
前記中空部の夫々に特定の発泡体のほかに異なる種類の発泡充填材を充填又は挿入することによって、
前記木質合成材の建材としての特性を変更できることを特徴とする請求項１乃至７記載のログハウス型構造物。
【請求項９】
前記中空部の内部に発泡充填材を充填するか、又は補強材若しくは発泡体を挿入することを特徴とする請求項１乃至８記載のログハウス型構造物。
【請求項１０】
前記本体部の壁に複数の孔を形成する二重中空構造とする請求項１乃至９に記載のログハウス型構造物。
【請求項１１】
前記第１木質合成材の本体部の上面又は下面に長手方向に形成される突条部と、
前記突条部とは反対側にある前記本体部の上面又は下面に長手方向に形成される溝部と、を備え、
前記第１木質合成材の前記突条部が、他の第１木質合成材の溝部と嵌合するか、または、前記第１木質合成材の前記溝部が他の第１木質合成材の突条部と嵌合する構造であることを特徴とする請求項１乃至１０記載のログハウス型構造物。
【発明の詳細な説明】
【０００１】
【発明の属する技術分野】
この発明はログハウス型構造物に関し、特に、木質合成材で構成されたログハウス型構造物に関わる。
【０００２】
【従来技術】
従来、ログハウス型構造物の工法は板状に加工した木材或いは丸太を平行に載置することで壁体を構成し、また板状に加工した木材或いは丸太の両端に交差嵌合部を交差、嵌合することでログハウス型構造物の四方を囲み家を構成する（特許文献１、２）。
ログ材を載置する時は、ログ材の上面、上部に突条部を設け、突条部と対向するログ材の下面、下部に溝部を設け、突条部と溝部とを凹凸嵌合することで壁体を構成している（特許文献３〜７）。
またログ材両端を切欠き、ログ材同士を交互に直交させ、切欠部分を嵌合させることで壁体を構成する。壁体を構成する際にボルトとナットを用いてログ材同士を固定していることもある（特許文献８〜１１）。
【０００３】
【特許文献１】特許２５３８４２０
【特許文献２】特開平１１−６２０５４
【特許文献３】特開平６−１７４９６
【特許文献４】特公平７−１０３６１６
【特許文献５】特許２６８８４４９
【特許文献６】特開２０００−２０４６４８
【特許文献７】特許２６８８４４９
【特許文献８】特開平８−４９３２１
【特許文献９】特開平６−１０８５５４
【特許文献１０】特開平３−２０８９３７
【特許文献１１】特開平９−２０９４７８
【０００４】
【発明が解決しようとする課題】
しかし、ログハウス型構造物構成部材として適した丸太をログハウス型構造物１棟分調達するのは容易ではなく、また木材を一本ずつログハウス型構造物として加工するのは大変時間がかかり、結果としてコスト高を招くことにも成る。
更にこれら天然木によって建築されたログハウス型構造物は木材の乾燥による伸縮で寸法にくるいが生じ、接続金具の破損もありうる。
更に、木質合成材を廃木材、廃プラスチック等のリサイクル原料で製造する場合、コストが高くなり、リサイクルが促進できなくなるおそれがある。
【０００５】
【課題を解決するための手段及び発明の効果】
前述の課題を解決するために、請求項１記載の発明は、長手方向に連続する中空部を有する本体部と、該本体部の上面及び下面に長手方向に延びる１対の溝部と、前記本体部の両端部の上面及び下面の短手方向に形成される凹み形状の２対の交差嵌合部と、を有する一体的に押出し成形された複数の長尺の第１木質合成材と、該第１木質合成材の前記溝部に前記第１木質合成材よりも薄肉の透光板材を嵌合させて前記第１木質合成材と透光板材とを上下方向に積み重ねて壁体を構成し、前記第１木質合成材と、他の第１木質合成材との交差嵌合部を嵌合させて段違いに直交させて角部を構成し、出入口の近辺又は前記角部において、前記第１木質合成材よりも短尺であって、長手方向に連続する中空部を有する本体部と、該本体部の上面及び下面に長手方向に延びる１対の溝部と、前記本体部の両端部の上面及び下面の短手方向に形成される凹み形状の１対の交差嵌合部と、を有する一体的に押出し成形された複数の第２木質合成材を該第１木質合成材と平行に所定間隙を置いて配置し、前記第１木質合成材と他の第１木質合成材の交差嵌合部、及び、前記第１木質合成材と第２木質合成材の交差嵌合部を縦方向に貫通する貫通孔を設け、前記貫通孔に固定具を上下方向に挿通又は嵌通させて前記木質合成材を固定することを特徴とするログハウス型構造物とする。
木質合成材の溝部を利用し木質合成材と透光板材とを交差するなど適宜組み合わせることで上下方向に積み上げ、木質合成材同士を直交交差して角部を構成し、夫々の貫通孔に固定具を設けることでログハウス型構造物を建築できる為、簡易な構造でコストを抑え軽量化を実現できる。また、ログハウス型構造物として用いられる木質合成材は、押出し機によって溝部を一体的に成形できるので、調達が容易で寸法の狂いも無く、また乾燥による伸縮も極めて少ない。木質合成材の溝部と透光板材とを凹凸嵌合することで、外部からの光をログハウス型構造物内部に取り込むことが可能である。木質合成材及び透光板材との着色によって、様々な色の組み合わせが可能となる。ログハウス型構造物を家庭で組み立てることで日曜大工の楽しみを提供することができる。子供でも容易に組み立てることができる。
このログハウス型構造物は、ログハウス、コンテナ、車庫、倉庫、自転車置き場等を含むものである。
透光板材とはアクリル樹脂、ガラスなどの透明又は半透明の板材である。
前記交差嵌合部の深さは木質合成材の高さの１／３より小さいことが好ましい。
【０００６】
請求項２記載の発明は、長手方向に連続する中空部を有する本体部と、該本体部の上面及び下面に長手方向に延びる溝部と、前記本体部の両端部の上面及び下面の短手方向に形成される凹み形状の交差嵌合部と、を有する一体的に押出し成形された複数の長尺の第１木質合成材と、該第１木質合成材の前記溝部に前記第１木質合成材よりも薄肉の透光板材を嵌合させて前記第１木質合成材と透光板材とを上下方向に積み重ねて壁体を構成し、前記第１木質合成材と他の第１木質合成材の交差嵌合部を嵌合させて直交させて角部を構成したログハウス型構造物であって、前記第１木質合成材を一直線状に延長する場合において、延長すべき前記第１木質合成材の木口面と、延長される他の第１木質合成材の木口面とを対面させて間隙を置いて突き合せて一直線状に配置し、前記第１木質合成材よりも短尺であって長手方向に連続する中空部を有する本体部と、該本体部の上面及び下面に長手方向に延びる１対の溝部と、前記本体部の上面及び下面の短手方向に形成される凹み形状の２対の交差嵌合部と、を有する一体的に押出し成形された複数の第２木質合成材を前記第１木質合成材と平行に所定間隙を置いて、前記突合せ面に亘って配置し、前記第１木質合成材よりも短尺であって長手方向に連続する中空部を有する本体部と、該本体部の上面及び下面に長手方向に延びる１対の溝部と、前記本体部の上面及び下面の短手方向に形成される凹み形状の２対の交差嵌合部と、を有する一体的に押出し成形された複数の第３木質合成材を、前記第１木質合成材、延長される他の第１木質合成材、及び前記第２木質合成材とに対して段違いに各々直交して井桁状に交差嵌合させて配置し、前記第１木質合成材乃至第３木質合成材の交差嵌合部を縦方向に貫通する貫通孔を設け、前記貫通孔に固定具を挿通又は嵌通させて前記木質合成材を固定することを特徴とするログハウス型構造物である。
これにより強固な構造を備えた延長構造を実現できる。
【０００７】
請求項３の記載の発明は、長手方向に連続する中空部を有する本体部と、該本体部の上面及び下面に長手方向に延びる溝部と、前記本体部の両端部の上面及び下面の短手方向に形成される凹み形状の２対の交差嵌合部と、を有する一体的に押出し成形された複数の長尺の第１木質合成材と、該第１木質合成材の前記溝部に前記第１木質合成材よりも薄肉の透光板材を嵌合させて前記第１木質合成材と透光板材とを上下方向に積み重ねて壁体を構成し、前記第１木質合成材と他の第１木質合成材の交差嵌合部を嵌合させて直交させて角部を構成したログハウス型構造物であって、前記第１木質合成材で角部を構成する場合において、第１木質合成材よりも短尺であって長手方向に連続する中空部を有する本体部と、該本体部の上面及び下面に長手方向に延びる１対の溝部と、前記本体部の上面及び下面の短手方向に形成される凹み形状の２対の交差嵌合部と、を有する一体的に押出し成形された複数の第２木質合成材を備え、該第２木質合成材は、前記第１木質合成材と平行に所定間隙を置き、且つ、前記他の第１木質合成材で上下に挟まれつつ直交させて、片側の交差嵌合部が交差嵌合されており、前記第１木質合成材よりも短尺であって長手方向に連続する中空部を有する本体部と、該本体部の上面及び下面に長手方向に延びる１対の溝部と、前記本体部の上面及び下面の短手方向に形成される凹み形状の２対の交差嵌合部と、を有する一体的に押出し成形された複数の第３木質合成材を備え、該第３木質合成材は、前記他の第１木質合成材と平行に所定間隙を置き、且つ、前記第１木質合成材で上下に挟まれつつ直交させて、片側の交差嵌合部が交差嵌合されており、更に、前記第２木質合成材及び第３木質合成材は、それぞれの他の交差嵌合部同士が角部の内側において直交して交差嵌合し、井桁構造状の交差嵌合部が形成されており、前記第１木質合成材乃至第３木質合成材の交差嵌合部を縦方向に貫通する貫通孔を設け、前記貫通孔に固定具を挿通又は嵌通させて前記木質合成材を固定することを特徴とするログハウス型構造物である。
これにより強固な構造を備えた角部の構造を実現できる。
【０００８】
請求項４に記載の発明は、前記木質合成材の溝部と交差する交差溝部を形成し、前記溝部と交差溝部とが交差する部分に前記貫通孔を形成し、前記溝部に前記透光板材の上下端部を嵌め込むとともに、前記交差溝部に前記透光板材の左右端部を嵌め込むことを特徴とする。
これにより透光板材の上下端部のみならず左右端部も木質合成材に嵌め込まれるので、固定が確実になる効果がある。
【０００９】
請求項５記載の発明のログハウス型構造物は、前記本体部にリブと、該リブによって仕切られる中空部とを有し、前記交差嵌合部の切欠の深さが、該木質合成材の前記リブまでとすることを特徴とする。
交差嵌合部のリブ同士が嵌め合うことが好ましい。
中空木質合成材内部はリブで仕切られた中空状であり、この中空部にウレタン発泡体等を充填することで中空木質合成材の強度を向上させ、ログハウス型構造物としての利用に耐え得る木質合成材へ加工できる。
ここで、中空木質合成材内部に成形されるリブの数は、少なくとも１つ以上であることが好ましい。
中空木質合成材に充填される発泡体はウレタン発泡体であることが好ましいが、他の発泡体を充填する構成としても良い。
前記交差嵌合部の切欠の深さが、該木質合成材の前記リブまでとするので、リブが露出する場合が好ましいが、リブの上に発泡材又は発泡体が残る場合も含まれることもある。
【００１０】
請求項６記載の発明の前記透光板材は、プラスチック製であって多数の中空部を有することを特徴とする。
連続する中空部であることが好ましい。これにより透光板材の強度を高めるとともに軽量化をより推し進めることができる。
プラスチック製の中空の透光板材の成形は押し出し成形でも射出成形でもよい。主に、ポリプロピレン、ポリカーボネートを主原料とした一体押出中空構造パネルが好ましい。
【００１１】
請求項７に記載のログハウス型構造物は、前記押出し成形時の金型を変更することで、任意の形状の木質合成材を成形できることを特徴とする。
中空木質合成材は押出し機から押出し成形されるため、押出し機の金型を変更することで金型の形状に沿った中空木質合成材を押出し成形することができ、この中空木質合成材に発泡体を充填するなど、任意の形の木質合成材を成形することができる。例えば、丸太状の金型から、ログハウス型構造物としてふさわしい外観の中空木質合成材及び木質合成材を成形することができる。
また、例えば、木質合成材の外壁面側を丸太状に、内壁面側を板状にすることで、ログハウス型構造物の外観を持ちつつ、内部は普通の家屋と変わらない構成とすることも可能である。
更に、ログハウス型構造物の壁面の構成に必要な突条部や溝部等も一体的に成形できるため、特別な加工を必要とせず、コストを抑え、短時間でログハウス型構造物を製造することができる。
【００１２】
請求項８記載のログハウス型構造物は、前記本体部の内部がリブによって複数の中空部に分割され、前記中空部の夫々に特定の発泡体のほかに異なる種類の発泡充填材を充填又は挿入することによって、前記木質合成材の建材としての特性を変更できることを特徴とする。
通常、中空木質合成材に充填される発泡体はウレタン発泡材であることが多いが、これを発泡コンクリートに代えることにより気密性、断熱性が向上することになる。
また中空木質合成材内部のリブで仕切られた中空部でも、外壁に面している中空部には発泡コンクリートを注入し、内壁に面している部分にはウレタン発泡材を注入することで、重量の増加を抑えつつ、屋外に対しての断熱性を向上させることができる。
全長４〜５ｍを越える、長い中空木質合成材に発泡材を充填させるのが困難な場合、或いは、中空部の径又は幅が小さい場合等、例えば発泡スチロールの板を適宜切り出して挿し入れるだけで、発泡材を充填するのと同等の効果が得られ、また中空部にムラ無く発泡体を充填できる。
また、中空部に天然木を差し込むことで木質合成材自体を補強し、従来の構造体として使用できることとなる。
【００１３】
請求項９記載のログハウス型構造物は、前記中空部の内部に発泡充填材を充填するか又は補強材若しくは発泡体を挿入することを特徴とする。ここでいう補強材には、鉄、木材等が好ましい。発泡充填材は、交差嵌合部等、圧力が加わりやすい個所に部分的に設けることが好ましい。
【００１４】
請求項１０のログハウス型構造物は、前記本体部の壁に複数の孔を形成する二重中空構造とする。
【００１５】
請求項１１記載のログハウス型構造物は、前記第１木質合成材の本体部の上面又は下面に長手方向に形成される突条部と、前記突条部とは反対側にある前記本体部の上面又は下面に長手方向に形成される溝部と、を備え、前記第１木質合成材の前記突条部が、他の第１木質合成材の溝部と嵌合するか、または、前記第１木質合成材の前記溝部が他の第１木質合成材の突条部と嵌合する構造であることを特徴とする。
木質合成材が有する突条部と溝部を凹凸嵌合させ、木質合成材同士の交差嵌合部を直交させ嵌合することで強度を増大させ、嵌め合い精度を高め、雨水の浸入等を防止できる。
【００１６】
なお、透光板材の木質合成材に対する構造は適宜変更できる。例えば、透光板材を木質合成材に嵌め込んで固定する場合、木質合成材に溝部を複数設けて窓ガラスのように引き違いに配置し透光板材を移動できる構造、ガラリのように開閉可能な構造等、適宜の場合が実施可能である。
【００１７】
上記目的に好適な中空木質合成材製造方法は、押出し生地をスクリューで成形ダイの溶融部に押出して、該押出し生地の外表面を前記成形ダイの内壁面と接触させるとともに該押出し生地の内表面を、前記溶融部に設けた基部から押出し方向に平行に突出し、徐冷部に延長する中子体を被覆するフッ素樹脂分散液を含浸させたアラミド繊維布であるフッ素樹脂シートの外面に接触させながら押出しの摩擦抵抗を低減させ、前記押出し生地を所定の肉厚に成形すると共に中空部を形成し、該押出し生地を徐冷部において該押出し生地の外側及び中空部内側より徐冷し、該押出し生地をログハウス型構造物構成材の大きさの中空木質合成材に押し出すことを特徴とすることが好ましい。
【００１８】
ここで言う中空木質合成材は、木粉と熱可塑性樹脂等の混合体により成形されたものが好ましい。特に好ましくは、汎用プラスチック（ポリオレフィン、ポリスチレン系樹脂、メタクリル樹脂、ポリ塩化ビニール等）、エンジニアリングプラスチック（ポリアミド、ポリカーボネート、飽和ポリエステル、ポリアセタール等）等である。例えば、ポリエチレン（以下ＰＥと記す）、ポリプロピレン（以下ＰＰと記す）又はナイロン等の熱可塑性エラストマーより成ることが好ましい。木粉の種類は問わない。強化剤（無水マレイン酸変性ポリプロピレン（例：三洋化成工業（株）ユーメックス１０１０）等）を数％程度以下（例えば０．５％）で混合することがある。中空木質合成体は板状であっても良いし、柱状であっても良い。中空木質合成材の比重は１〜１．５が好ましく、特に１．１〜１．２の範囲が好適であり、曲げ弾性率は１０００〜５０００Ｍｐａが好ましく、特に３０００〜４０００Ｍｐａの範囲が好適である。
【００１９】
好適な中空木質合成材製造方法は、押出し生地をスクリュで成形ダイの溶融部に押出して、該押出し生地の外表面を前記成形ダイの内壁面と接触させるとともに該押出し生地の内表面を、前記溶融部に設けた基部から押出し方向に平行に突出し、前記押出し生地の外表面を前記成形ダイ内壁面に形成されたフッ素樹脂分散液を含浸させたアラミド繊維布であるフッ素樹脂シートに接触させながら押出しの摩擦抵抗を低減させ、前記押出し生地を所定の肉厚に成形すると共に中空部を形成し、該押出し生地を徐冷部において該押出し生地の外側及び中空部内側より徐冷し、該押出し生地をログハウス構造物用の所定形状の中空木質合成材に押し出すことを特徴とすることが好ましい。
上記の組み合わせでも成立する。この場合、成形性は一層良好となる。
【００２０】
好適な中空木質合成材製造装置は、原料を加熱、練成し、スクリュをもって押出す押出機に、前記押出機から押し出された押出し生地を加熱する溶融部及びこの溶融部から押し出された押出し生地を冷却する徐冷部から成る成形室と、前記溶融部から押出し生地の押出方向に突出して少なくとも前記徐冷部に延長する中子体とを備えた成形ダイを連結した中空木質合成材製造装置であって、前記中子体は、複数の棒状部材、及び前記各棒状部材にそれぞれ一体的に形成された基部から成り、前記各棒状部材は、中空木質合成材内に形成される各中空部の断面形状と略同様の断面形状を有し、押出し生地の押出方向を長さ方向として相互に平行に配置されると共に、前記成形ダイの溶融部内において前記成形ダイに固着され、前記各棒状部材の少なくとも前記押出し生地の押出方向上流側端部が、フッ素樹脂シートの収容体により被覆され、前記収容体を成すフッ素樹脂シートが、フッ素樹脂分散液を含浸させ、乾燥、焼成したアラミド繊維の織布であるように前記成形ダイの形状及び大きさが設定されたことを特徴とすることが好ましい。
【００２１】
好適な中空木質合成材製造装置は、前記フッ素樹脂シートの収容体が袋状体から成り、前記中子体の前記各棒状部材を該フッ素樹脂シートから成る袋状体内に個々に密着状態で挿入し、前記各棒状部材を前記フッ素樹脂シートの収容体により被覆したものであることが好ましい。
【００２２】
好適な中空木質合成材製造装置は、前記収容体が筒状体から成り、該筒状体は、一辺に対し直交方向を成す切り込みが前記棒状部材間に形成させる間隙の位置に対応して設けられた二枚の前記フッ素樹脂シートを重ね合わせ、前記切り込みに対し平行な二辺と、前記切り込みを挟んだ両側において接合することにより、一端開口を前記棒状部材の形成本数に対応して複数股に分岐形成し、このフッ素樹脂シートの筒状体内に前記中子体の前記棒状部材の少なくとも基部寄りの端部を密着状態で挿入することにより、前記中子体の少なくとも一部を前記フッ素樹脂シートの収容体で被覆したものであることが好ましい。
【００２３】
好適な中空木質合成材製造装置は、前記袋状体及び前記筒状体を接合して一体に形成して成る収容体から成るものであることが好ましい。好適な中空木質合成材製造装置は、前記押出成形装置における前記成形ダイの内壁面に、フッ素樹脂シートが貼設されているものであることが好ましい。好適な中空木質合成材製造装置は、前記中子体を成す前記各棒状部材が、前記基部を介して前記成形ダイの上下内壁に前記基部を介して固着されているものであることが好ましい。好適な中空木質合成材製造装置は、前記中子体は、前記各棒状部材に連続し、前記溶融部において前記棒状部材の端部を結合する結合部から成り、少なくとも前記中子体の前記結合部が、前記フッ素樹脂シートの収容体により被覆されているものであることが好ましい。好適な中空木質合成材製造装置は、前記収容体が袋状体から成り、前記中子体の前記結合部を前記フッ素樹脂シートから成る前記袋状体内に密着状態で挿入することにより、前記中子体の少なくとも一部を前記フッ素樹脂シートの収容体で被覆したものであることが好ましい。好適な中空木質合成材製造装置は、前記溶融部の領域にある成形ダイを上下から断熱板及び補強板で挟んで固定したものであることが好ましい。好適な中空木質合成材は、前記中空木質合成材製造方法、又は前記中空木質合成材製造装置により製造されたものであることが好ましい。
【００２４】
【発明の実施の形態】
本発明のログハウス型構造物の実施形態について図面を参照して説明する。
図１〜図５は本発明の実施形態１におけるログハウス型構造物１０を示すものであり、このログハウス型構造物１０は、一体的に押出し成形された中空板状の第１木質合成材１１と、これと直交する同様な形状の第１木質合成材１１を、他の第１木質合成材１１と直交状態で交差して交互に段重ねして角部を構成してある。第１木質合成材１１を段重ねする際に形成される隙間には、第１木質合成材１１よりも薄肉の透光板材１２を立設状態で介装させ、四方を囲む壁体を構成している。第１木質合成材１１と透光板材１２とを上下方向に積み重ねて壁体を構成している。この壁体の上部には中空板状の木質合成材を複数個並設するか、又は波板等のパネルからなる屋根部１３を設置している。ログハウス型構造物１０正面には、壁体と同じく木質合成材で一体的に成形された開閉又はスライド可能な扉部１４を備えている。扉部１４の左右には短尺の第２木質合成材１５が配置されている。下部には内部に液体（例えば水など）を充填した樹脂タンクとして機能する木質合成材、プラスチック、金属等でできるログハウス基部１６を平行に配置し、ログハウス基部１６に直交状態に交差するように第１木質合成材１１を並べて固定することで床部（コンクリートブロックを枠状に設けたものでもよい）を構成し、上記の床部に壁体を重ね、壁体に屋根部１３を重ねることで構造物を構成している。透光板材１２により採光性やコスト削減効果を高めている。第１木質合成材１１がリサイクル原料からなるものであるときには、木質合成材はコストが高くなるが、透光板材１２がプラスチック製であって安価に製造できるので、全体の価格を削減できる。
ジョイント部材１７は、後述の柱芯材３５を連結するものである。床部を構成する第１木質合成材１１は、壁体と接する両端部分の２本においては貫通孔２３を上方に向け、中間にある残りの第１木質合成材１１は横に倒して貫通孔２３を側面に向けて連設されている。また、屋根部１３は開閉可能なテントであるため、ログハウス型構造物にて天体観測をする場合等に適している。屋根部１３は木質合成材で構成してもよい。
さらにの第１木質合成材１１の垂れを防止するため第１木質合成材１１の間に支持ブロック１８が介装されている。
【００２５】
透光板材１２は、プラスチック製の中空の透光板材の成形は押し出し成形でも射出成形でもよい。主に、ポリプロピレン、ポリカーボネートを主原料とした一体押出中空構造パネルが好ましく、例えば、宇部日東化成株式会社のダンプレートと指称される熱可塑性樹脂製中空プレート（特開平６−９９５１６号参照）、ツインパネルＰＣと指称されるポリカーボネート製の熱可塑性樹脂製中空プレートが好ましい。
【００２６】
図２（ａ）（ｂ）はログハウスの壁体を構成する長尺の第１木質合成材１１を示し、この第１木質合成材１１は長尺の断面四角形の中空構造である。第１木質合成材１１の本体部の上下面の概ね中央位置には長手方向に延び出す凹状の溝部２１と、溝部２１の端部に形成され溝部２１と直交して交差する交差溝部２２と、溝部２１と交差溝部２２との交差部に形成され第１木質合成材１１の両端部にそれぞれ形成される貫通孔２３と、貫通孔２３の前後の所定幅にて短手方向に形成される凹み形状に第１木質合成材１１の両端部にそれぞれ形成される２対の交差嵌合部２４とを備えている。第１木質合成材１１の交差嵌合部２４同士を嵌合させて段違いに直交させて角部を構成している。溝部２１及び交差溝部２２の巾ａ〜ａ’は、透光板材１２の横幅と実質的に等しいが嵌合のため若干広幅になっている。交差溝部２２は第１木質合成材１１両端から、第１木質合成材１１の長さの所定比率に設定される（ここでは１／２０）ｂ〜ｂ’の位置に夫々設けられている。また、第１木質合成材１１の溝部２１が、立設される透光板材１２の上下端部と嵌合し、交差溝部２２が透光板材１２の左右端部と嵌合することにより透光板材１２を挟み込んで固定している。図２（ｂ）に示すように、長手方向に平行な点線は溝部２１の深さを示し、長手方向に直交する点線は貫通孔２３の径を示している。図２（ａ）（ｂ）に示すように交差溝部２２は第１木質合成材１１の全周に形成してあるが、全周の一部に形成されてもよい。
【００２７】
扉部１４の近辺（又は前記角部でもよい）において、第１木質合成材１１よりも短尺であって、第１木質合成材１１と同様の構造を備えており、長手方向に連続する中空部を有する本体部と、本体部の上面及び下面に長手方向に延びる１対の溝部と、本体部の両端部の上面及び下面の短手方向に形成される凹み形状の１対の交差嵌合部と、を有する一体的に押出し成形された複数の第２木質合成材１５が補強のため配置されている。この第２木質合成材１５を第１木質合成材１１と平行に所定間隙を置いて配置してある。また、第１木質合成材１１と他の第１木質合成材１１の交差嵌合部２４、及び、第１木質合成材１１と第２木質合成材１５の交差嵌合部２４を縦方向に貫通する貫通孔２３に柱芯材３５を上下方向に挿通又は嵌通させて木質合成材１１及び１５とを固定している。
【００２８】
図１、図３に示す通り、柱芯材３５を分割して、相互にジョイント部材１７で結合するように構成したものであり、ジョイント部材１７と柱芯材３５とは、貫通孔２３に嵌合又は挿通する大きさに形成されている。図１に示す通り、床部を構成する第１木質合成材１１に嵌め込まれたジョイント部材１７を床芯材３７が貫通し固定することが好ましい。
【００２９】
図３（ａ）（ｂ）はログハウス型構造物１０の壁体の構成を示し、第１木質合成材１１ａ、第１木質合成材１１ｃ、第１木質合成材１１ｅ…は同様の形状であり、図３（ｂ）に示すように、端部の対向する貫通孔２３同士を合致させ、これを柱芯材３５で貫通させ、ジョイント部材１７で連結しながら、直交方向に交差して段違いに重ねる構造である。図３（ａ）に示すように段重ねする平行な第１木質合成材１１ａ，１１ｃ，１１ｅの間隙には透光板材１２ｂ，１２ｄを嵌合してある。第１木質合成材１１ａは、前述した通り、上下面に長手方向に延び出すように形成される単数又は複数の溝部２１、両端部に溝部２１と直交方向に交差する交差溝部２２ａ、溝部２１と交差溝部２２との交叉部を中心に円状に設けられた貫通孔２３ａと、交差嵌合部２４ａとを形成してある。第１木質合成材１１ｃも同様である。それらの溝部２１ｂ、交差溝部２２ｂ、貫通孔２３ｂ及び交差嵌合部２４ｂは、夫々同じ方向に上下に配置される他の木質合成材の溝部２１と交差溝部２２によって透光板材１２を嵌合させ固定し、第１木質合成材１１と透光板材１２とを縦方向に交互に積み上げることにより、ログハウス型の壁体を構成している。図３（ａ）に示すように第１木質合成材１１ａ，１１ｃ，１１ｅは、それぞれの上下面でその上下にある透光板材１２ｂ，１２ｄの下上面とそれぞれ嵌合状態である。透光板材１２は透明、又は半透明が好ましい。透光板材１２を着色することで、装飾の自由度が高まる。透光板材１２として用いられる材質はアクリル樹脂に限定されず、透光性の材質であるならばガラス等を用いる構成としても良い。透光板材１２の面積は用途に応じて適宜決定できる。透光板材１２を開閉可能なガラリとする構成としても良い。また、透光板材１２は中実部材、中空部材のいずれでもよいが、中空部材とすればコスト削減に絶大な効果がある。例えば、強度面、コスト面からは中空押し出し成形された中空プラスチック板材、中空射出成形された中空プラスチック板材、プラスチック・ダンボール構造等が好ましい。これについては後述する他の実施形態で説明する。
【００３０】
ログハウス型構造物１０の組み立て方法を説明する。ログハウス基部１６を配置し、ログハウス基部１６に直交させて第１木質合成材１１を配置する。両端の第１木質合成材１１だけは貫通孔２３を上方に向け、その他は横方向に向け、横方向に床芯材３７を貫通孔２３に貫通させナットで固定する。第１木質合成材１１の貫通孔２３に複数の柱芯材３５を貫通させて、端部をナットで固定し垂直に起立させる。柱芯材３５に第１木質合成材１１の貫通孔２３に貫通させながら、第１木質合成材１１と透光板材１２とを交互に上下方向に嵌め込んで壁を組んでゆく。第１木質合成材１１同士の交差嵌合部２４を嵌合させることで角部を作成する。適宜にジョイント部材１７で柱芯材３５を連結する。さらに扉部１４の両側部において、第１木質合成材１１と第２木質合成材１５の交差嵌合部２４を交差嵌合させて、第１木質合成材１１に対して第２木質合成材１５を直交させて配置する。壁が天井部位まで達したら、柱芯材３５の上端をナットで固定する。こうしてできた壁の上端に屋根部１３を取り付ける。
【００３１】
第１木質合成材１１及び第２木質合成材１５はその中空部内は基本的には空であるが、ウレタン発泡材２５を適宜に充填してもよく、強度や断熱性、防音効果を向上させることができる。発泡材は木質合成材を組み上げる前の出荷段階で注入することが好ましい。木質合成材の肉厚が薄いのものに対する強度補強、あるいは、ログハウス型構造物の用途によっては、断熱材として作用させる趣旨である。木質合成材のウレタン発泡材２５は熱可塑性でも熱硬化性でも構わないが、環境保全やリサイクルの観点からフロンによる発泡よりも水性発泡材が好ましい。
【００３２】
図１〜図３に示すログハウス型構造物１０は、第１木質合成材１１と透光板材１２とを組み合わせて、段重ねしているだけなので、ドライバー、ハンマー等の工具が必要なく、建築が容易であり、また第１木質合成材１１は軽量である（本例では約８ｋｇ）ため、大人でも子供でも建築することが可能である。また第１木質合成材１１に透光板材１２を凹凸嵌合して壁体を構成するため、透光板材１２から凸状に突出した第１木質合成材１１を足がかりとして用いることが可能であり、脚立等を要することなくログハウス型構造物１０を建築することが可能となる、第１木質合成材１１、透光板材１２、ジョイント部材１７のみでログハウス型構造物１０を構成しているため、部品を買い足すことで箱形状に限らず、Ｌ字形状、十字形状等のログハウス型構造物１０を自在に建築することが可能であり、拡張性に富む等の効果を発揮する。
また、第２木質合成材１５によって強固に補強されるので、出入り口や角部等の木質合成材のずれ等を防止できる。
ログハウス型構造物１０は上記のような構成であるため、家族全員が楽しみながら簡易に短時間に（大人一人で約３時間）建築することが可能であり、また拡張性に富むためログハウスに限らず、コンテナ、車庫、倉庫等、様々な用途に使用することが可能である。加えてログハウス型構造物１０は地面に置いているだけなので、移動、撤去を容易に行うことが可能である。
【００３３】
図６に示すのは実施形態１の変更例のログハウス型構造物１０´であり、実施形態１の番号と同様として説明は援用し、異なる要素について部品番号に´を付して説明する。
このログハウス型構造物１０の透光板材１２を、１枚押出板構造とする中空部を有する透光板材１２´を備えている。各木質合成材１１の縦方向に貫通孔２１´を形成し、透光板材１２´をこの貫通孔２１´に挿通させたものである。これにより組み立て作業効率が向上する。
【００３４】
図７（ａ）〜（ｅ）は第１木質合成材１１の変更形態である第１木質合成材１１Ｊ〜１１Ｎを示す短手方向に切断した断面図である。説明は図１の第１木質合成材１１と共通する部分については説明を援用する。図７（ａ）の第１木質合成材１１Ｊは、実施形態１の第１木質合成材１１と概ね同様の形状で押出し成型をしているが、角柱の形状で内部中央に対向する内壁を連結するリブ２４Ｊを設けて方形の複数の中空部２６Ｊに分割しており、上下端の内壁に突出部２７Ｊを形成してある。この変更形態の第１木質合成材１１Ｊを用いることによって、実施形態１の第１木質合成材１１より高い強度を持つ木質合成材を提供することが可能となる。図７（ｂ）（ｃ）の第１木質合成材１１Ｋ，１１Ｌは、形状違いのものである。
【００３５】
図７（ｄ）（ｅ）の第１木質合成材１１Ｍ，１１Ｎは、壁の各辺に所定個数の（図７（ｄ）では横辺２個、縦辺３個ずつ、計１０個、図７（ｅ）では、横辺１個、縦辺２個ずつ、計６個）の空洞部２８Ｍ，２８Ｎを所定間隔又は適宜間隔で備えて押出し成型し、その後に上辺と下辺にそれぞれ貫通孔２１Ｍ，２１Ｎを設ける加工を行っている。貫通孔２１Ｍ，２１Ｎは空洞部２８Ｍ，２８Ｎを囲む２つの壁のうちの外側の壁に設けられている。貫通孔２１Ｍ，２１Ｎに透光板材１２が嵌め込まれる。これにより、リブ及び／又は発泡材をなくしても強度が低下しない効果、製造工程を簡素化できる効果がある。壁面の中空率は１５〜４０％が好ましく、特に２０〜３０％の範囲が好適である。材全体の中空率は５０〜７０％が好ましく、特に５５〜６５％の範囲が好適である。
【００３６】
図８はログハウス型構造物１０の変形例である。各図（ａ）〜（ｄ）において上段は平面図、下段は正面図を示す。図８（ａ）はロング型のログハウス型構造物１０Ａ、図８（ｂ）は平面視でＬ字型のログハウス型構造物１０Ｂ、図８（ｃ）は滑り台１９Ｃ付のログハウス型構造物１０Ｃ、図８（ｄ）は平面視で十字型のログハウス型構造物１０Ｄを示すものである。
【００３７】
図９〜図１１は実施形態２のログハウス型構造物５０の外観斜視図で、実施形態１と概ね同様の構造であるので、共通する要素は概ね５０番台（番号に４０を加算）とし、異なる構造を説明する。屋根部とシャッター等の扉は省略してあり、用途は車庫、倉庫等である。実施形態１と異なる点は、第１木質合成材５１の断面形状と、交差嵌合部６４の構造である。第１木質合成材５１及び第２木質合成材５５は、本体部の壁に複数の孔５９を形成する二重中空構造とするものである。交差嵌合部６４は孔５９のために複数の段部６９が形成されている。
【００３８】
図１２は実施形態３のログハウス型構造物１１０の外観斜視図で、実施形態２と概ね同様の構造であるので、共通する要素は概ね１００番台（番号に１００を加算）とし、異なる構造を説明する。実施形態２と異なる点は、第２木質合成材１１５を角部にも配置したことである。透光部材１１２は第１木質合成材１１１の隙間の全部に配置してもよいし、図のように一部に配置したものでも良い。
【００３９】
図１３〜図１６は実施形態４のログハウス型構造物１５０の外観斜視図で、実施形態２と概ね同様の構造であるので、共通する要素は概ね１４０番台（番号に１４０を加算）とし、異なる構造を説明する。実施形態２と異なる点は、第２実施形態の第１木質合成材５１を一直線状に延長するとともに、構造を強固なものとすることを目的とする場合であって、延長すべき第１木質合成材１５１ａの木口面と、延長される他の第１木質合成材１５１ｂの木口面とを対面させて間隙を置いて突き合せて一直線状に配置し、第１木質合成材１５１ａ及び１５１ｂよりも短尺であって長手方向に連続する中空部を有する本体部と、該本体部の上面及び下面に長手方向に延びる１対の溝部と、前記本体部の両端部の上面及び下面の短手方向に形成される凹み形状の２対の交差嵌合部と、を有する一体的に押出し成形された複数の第２木質合成材１５５を第１木質合成材１５１ａ及び１５１ｂと平行に所定間隙を置いて、突合せ面Ｔに亘って配置してある。また、第１木質合成材１５１ａ及び１５１ｂよりも短尺であって長手方向に連続する中空部を有する本体部と、該本体部の上面及び下面に長手方向に延びる１対の溝部と、前記本体部の両端部の上面及び下面の短手方向に形成される凹み形状の２対の交差嵌合部と、を有する一体的に押出し成形された複数の第３木質合成材１８０ａ及び１８０ｂを、第１木質合成材１５１ａ及び１５１ｂ及び第２木質合成材１５５とに対して段違いに各々直交して井桁状に交差嵌合させて配置してある。さらに、第１木質合成材１５１ａ及び１５１ｂ、第２木質合成材１５５、第３木質合成材１８０ａ及び１８０ｂの交差嵌合部を縦方向に貫通する貫通孔を設けて、貫通孔に固定具を挿通又は嵌通させて木質合成材を固定することを特徴とするものである。
【００４０】
図１７は実施形態５のログハウス型構造物２００の角部についての斜視図であり、実施形態４の井桁接続構造を第２実施形態の角部に適用したものである。即ち、図１７に示す通り、第１木質合成材２１１ａの交差嵌合部と、第１木質合成材２１１ｂの交差嵌合部とを直交して段違いに交差嵌合させるとともに、構造を強固なものとすることを目的とするため、第１木質合成材２１１ａよりも短尺であって長手方向に連続する中空部を有する本体部と、該本体部の上面及び下面に長手方向に延びる１対の溝部と、前記本体部の両端部の上面及び下面の短手方向に形成される凹み形状の２対の交差嵌合部と、を有する一体的に押出し成形された複数の第２木質合成材２５５ａを備えている。この第２木質合成材２５５ａは、第１木質合成材２１１ｂと平行に所定間隙を置き、且つ、第１木質合成材２１１ａで上下に挟まれつつ直交させて、片側の交差嵌合部が交差嵌合されている。また、第１木質合成材２１１ａよりも短尺であって長手方向に連続する中空部を有する本体部と、該本体部の上面及び下面に長手方向に延びる１対の溝部と、前記本体部の両端部の上面及び下面の短手方向に形成される凹み形状の２対の交差嵌合部と、を有する一体的に押出し成形された複数の第３木質合成材２５５ｂを備えている。この第３木質合成材は、第１木質合成材２１１ａと平行に所定間隙を置き、且つ、第１木質合成材２１１ｂで上下に挟まれつつ直交させて、片側の交差嵌合部が交差嵌合されている。第２木質合成材２５５ａ及び第３木質合成材２５５ｂは、それぞれの他の交差嵌合部同士が角部の内側において直交して段違いに交差嵌合し、段違いに上下方向に積み上げられている。こうして井桁構造状の交差嵌合部が形成されることになる。
【００４１】
図１８は実施形態６のログハウス型構造物２５０の壁体についての縦断面図で、実施形態１と概ね同様の構造であるので、共通する要素は概ね２５０番台（番号に２４０を加算）とし、異なる構造を説明する。実施形態１と異なる点は、上面に突状部２９０、下面に溝部２９１が追加されたことであり、第１木質合成板２１１の溝部２９１が他の木質合成板２１１の突状部２９０に嵌合できることである。第１木質合成板２１１の突状部２９０が他の木質合成板２１１の溝部２９１に嵌合してもよい。透光板２１２の中空部２１２ａは横方向でも縦方向でもよい。
【００４２】
その他の木質合成材の例としては、図示は略すが、断面角形ではなく丸太型に押出し成形される例、ウレタン発泡材の全部又は一部を発泡コンクリートとする例、リブを縦方向に配置する例、中央中空部にウレタン発泡材を充填し、その上下にある中空部に発泡コンクリートを充填する例、中央中空部にウレタン発泡材を充填し、その左右中空部に発泡コンクリートを充填する例、中央中空部に発泡コンクリートを充填し、その左右中空部にウレタン発泡材を充填する例、中空部内の全部又は一部を空洞にする例、中空部内に天然木材を差し込む例（例えば、木質合成材内部は、端面に直交して伸びるリブによって仕切られた幾つかの（例では３つ）中空部を形成し、中央中空部に柱状に加工した天然木を挿し入れることで木質合成材を補強し、その左右中空部にウレタン発泡材を注入することで、より軽量化され、また従来の構造体としてもできる例）、発泡材を充填する代わりに板状発泡スチロールを中空部に挿入する例などが挙げられる。
【００４３】
図１９は中空第１木質合成材１１１に発泡材２８１を注入する工程を示したもので、リブ１２４で仕切られた中空部に発泡体注入チューブ２８６を挿入し、ウレタン発泡材２８１を注入しながら、中空部の出口方向へと後退することで、中空部内にウレタン発泡材２８１を充填する。
【００４４】
図２０は木質合成材２９５を用いた間仕切り板２９０について示したもので、Ｃチャネル２９７を天井２９８、床２９９に夫々貼設し、間仕切り板２９０を垂直に固定するものである。
【００４５】
以下、中空木質合成材の製造について説明する。
尚、本実施形態にあっては、一例として、セルロース系破砕物と熱可塑性樹脂を加熱・混練して得られた混練物を、冷却・固化して所定の粒径に粉砕したもの（本明細書において「木質合成粉」という。）を原料として成る中空木質合成材の製造について説明する。
【００４６】
〔木質合成粉〕
本実施形態で用いる木質合成粉の原料となるセルロース系破砕物たる木粉は、熱可塑性樹脂成形材とのなじみを良好にすると共に、成形押出し時における摩擦抵抗を減じ、成形機の損耗、毀損の防止を図るべく、その粒径を５０〜３００メッシュ、好ましくは６０（篩下）〜１５０（篩上）メッシュの微細な粉末状とする。また、成形時における木酸ガスを揮散し、水蒸気あるいは気泡発生のおそれをなくし、表面の肌荒れを防止する意図　から、木粉の乾燥前においてその含有水分量を１５重量％以下、好ましくは１１重量％以下、理想的には０〜５重量％以下、特に好ましくは０〜０．３重量％以下とする。
【００４７】
尚、かかる木粉の特性をさらに向上させるため、尿素系樹脂接着剤に木材チップ等の素材を浸漬あるいはこれに添加し、加熱硬化した後に破砕、微粉末化することが可能である。
【００４８】
また、熱可塑性樹脂成形材としては、廃棄された各種の樹脂成形品をそのまま、もしくは表面樹脂塗膜を形成した樹脂成形品を複数の各小片に破砕し、これに圧縮研削作用等を付加して樹脂塗膜を研削、剥離することにより素材化した、ＰＶＣ、ＰＥＴ、ＰＰ等の樹脂を用いることができる。
使用目的に応じて、顔料を添加し、製品に着色することもできる。
【００４９】
そして、木粉乾燥後、含有水分量３重量％以下、好ましくは０．３重量％以下、平均粒径２０メッシュ以下のセルロース系破砕物２０〜７５重量％、好ましくは４０〜６０重量％に対して熱可塑性樹脂成形材２５〜８５重量％、好ましくは６０〜４０重量％をともに攪拌衝撃翼により混合、ゲル化混練し、ゲル化した混練材料を冷却して、さらに粒径８ｍｍ以下に整粒して得た木質合成粉を用いることにより、木粉の摩擦抵抗を減じ得る良好な混練状態の生地が形成される。
【００５０】
本実施形態において用いる木質合成粉は、一例として下記のように製造される。
【００５１】
（１）乾燥工程
熱源（ボイラー熱、電気熱、ヒーター熱等）を使用することなく、回転の衝撃によるせん断発熱を利用して水分を木粉からたたき出す乾燥方法である。水分除去に必要な時間は約１５分である。一例としてミキサーを用い、セルロース系破砕物である木粉を乾燥させる。ミキサーの攪拌衝撃翼を回転させ剪断発熱が生じることによってミキサー内の温度が上昇し、これによりミキサーに投入された木粉が乾燥される。本実施形態にあっては、投入された木粉の含有水分量が０重量％となるように乾燥する。木粉は５０〜２５０μｍが好ましい。水分は０〜０．３重量％に乾燥することが好ましい。方法はミキサーを回転させて水分を除く。
【００５２】
また、顔料等として酸化チタン等を添加する場合には、この乾燥工程において前記木粉と共にミキサー内にこれを投入する。顔料の種類は、無機、有機を問わない。顔料の重量比率は、顔料の種類により異なる。例えば、木粉１００重量％に対して１０重量％前後の白酸化チタンを投入する。木粉のみに着色し、熱可塑性樹脂を着色しないので、木粉の変色を防ぐことができる。木粉で紫外線を防ぎ、劣化を少なくすることができる。
【００５３】
（２）溶融・混練工程
木粉と熱可塑性樹脂を混合・溶融し、一体化する。高速回転翼による発熱で木粉とプラスチックとを溶融し、分子レベルで一体化する。重量比率は、顔料と木粉の混合体４０〜６０重量％に、着色しない熱可塑性樹脂成形材６０〜４０重量％（例えばＰＰ）である。熱可塑性樹脂は、溶融混合して顆粒状ペレットとする。溶融機ミキサーの回転数は、８５０〜９００ｒｐｍ、温度は１８０〜１９０℃である。混合・溶融する熱可塑性樹脂としてはポリプロピレン（ＰＰ）、ポリエチレン（ＰＥ）、塩化ビニル樹脂（ＰＶＣ）等が好ましい。
【００５４】
例えば、乾燥前の木粉５５重量％に対して、熱可塑性樹脂成形材としてＰＰ４５重量％を前記ミキサー内に投入し、さらに攪拌加圧する。熱可塑性樹脂成形材の形態は、本実施形態では直径３ｍｍ程度の大きさの粒状からなるペレットを使用している。
【００５５】
熱可塑性樹脂成形材は、熱可塑性合成樹脂製品の廃材から得られた回収熱可塑性樹脂、バージンの熱可塑性樹脂、あるいはバージンの熱可塑性樹脂と前記回収熱可塑性樹脂をそれぞれ、例えば５０重量％ずつ用いることもできる。
【００５６】
この工程においては、原材料内の木粉によりＰＰは大きな塊とはならず、直径約１０〜１００ｍｍの粘土状にゲル化した「混練材料」が形成される。
【００５７】
（３）冷却・造粒（整粒）工程
本工程では、一例として前述の混練材料の冷却と造粒とを同時に行うことができる、所謂クーリングミキサーを用いる。前工程において形成された混練材料はクーリングミキサーヘ投入され、冷却水により冷却されたミキサー本体内周壁面で冷却され、直径約２５ｍｍ以下に造粒された「造粒原料」が形成される。
【００５８】
前記工程で形成された造粒原料は、さらに必要に応じてカッタミルを使用して粒径８ｍｍ以下に整粒することで、ペレット状の「木質合成粉」となる。なお、整粒工程は必ずしも必要ではなく、前述の冷却・造粒工程により得られる造粒物のサイズによってはこれを省略することもできる。
【００５９】
木粉と熱可塑性樹脂成形材との混合、分散状態を定常的に維持し、良好なる流動性を有すると共に、冷却による凝縮、縮小作用とも相まって、化学的な反応や接着によらない木質合成粉が形成される。
【００６０】
（４）成形工程
図２１乃至図３１に示す押出成形装置３０１に木質合成粉（顆粒状ペレット）を投入し、木粉が高濃度で混合されたものを高粘度の状態に溶融させ、押出成形装置３０１で高圧力で押出し、金型の中に押し込み、高圧力で押し固めながら中空木質合成材３２９を押し出す。粘度が高いので、前方への圧力が加えられた状態で押し出す。粘度が高いほど流れが早いチクソトロピーの原理を応用している。押出成形装置３０１の詳細は後述する。金型の中にフッ素樹脂シート３５０’を設け、フッ素樹脂シート３５０’の表面に凹凸をつけ、金型の中にフッ素樹脂シート３５０’を貼り、高圧力を加えて中空木質合成材３２９の表面に熱可塑性樹脂の凹凸の或る（溝の或る）表面等を作り中空形状の製品を作る。このフッ素樹脂シート３５０’は、アラミド繊維の織布にフッ素樹脂分散液を含浸、乾燥、焼成したシートである。そのためシートの表面には、アラミド繊維の織り目が格子状等の所定形状に現われている（図３０（ａ）及び（ｂ）参照）。このようにして製造された木質中空合成材３２９を図３１に示す。寸法例は、幅１５２ｍｍ×高さ７７ｍｍで、長さは２８５０ｍｍである。角形の外郭３２９ａと、外郭３２９ａ内部領域に形成された、押出し方向に延び出す中空部３２９ｂが形成されている。縦方向の厚み代は５ｍｍ、横方向に厚み代は４ｍｍ（両端部のみ厚くなっている）。
【００６１】
（５）サンディング工程
前記の通り成形された中空木質合成材３２９の着色してない熱可塑性樹脂の溝を備えた表皮層が形成されるので、その表皮層をサンディングペーパー（度数４０〜１８０）で研磨して除去する。図３１中、一点鎖線は削り代（図では１ｍｍ）である。表皮層は溝の部分まですべて削ることが好ましい。中空木質合成材３２９の表皮層に小さい溝をつけたので、表面のサンディングが容易になる。着色してない熱可塑性樹脂の表皮層を除去することで、色を表面に出すことができ独特の木質感、自然感を出すことができる。木粉の表面を着色しているので、木粉の変色を防ぐことができる。
【００６２】
このような中空木質合成材３２９の表皮層の研磨は、樹脂素材の密となっている部分の研磨を意図したものである。木粉を混入した樹脂成形板に於いては樹脂が成形物の表面部分に滲み出し、この表面部分に樹脂素材の密部分を作り出す。このような樹脂素材の密部分は、着色されていないので、この表面部分のサンディングは独特の色調を創出することに意味がある。
【００６３】
〔押出成形装置〕
図２１〜図３１に示す通り、前記木質合成粉を中空木質合成材３２９に成形する本発明の押出成形装置３０１は、押出機３７０と、この押出機３７０により吐出された押出し生地３７９を所定形状に成形する成形ダイ３１０とを備えている。成形ダイ３１０は、フランジ３１７及び押出ダイ３１９より成る連結手段３３０を介して押出機３７０に連結されている。
【００６４】
（１）押出機
図２１において、３７０は前述の押出成形装置３０１を構成する押出機である。一般に押出機３７０はスクリュ型で単軸押出成形装置と多軸押出成形装置があり、この変形又はこれらが組み合わさった構造を持つものがあるが、本発明ではいずれの押出成形装置も使用することができる。
【００６５】
３７１はスクリュで、図２１に示す実施形態にあっては単軸型であり、このスクリュ３７１はギヤ減速機３７２を介して図示せざるモータによって駆動され、バレル３７４内で回転する。ホッパ３７３から投入された木質合成粉は、このスクリュ３７１の回転によって混練されながら前方へと押出される。
【００６６】
バレル３７４の外面にはバンドヒータ３７５を設けており、このバンドヒータ３７５によりバレル３７４内で木質合成粉が加熱され、スクリュ３７１の溝に沿って前方へ搬送されながら漸次溶融・練成される。
【００６７】
（２）連結手段
押出機３７０により溶融・練成された木質合成粉は、フランジ３１７及び押出ダイ３１９から成る連結手段を介して成形ダイ３１０へ押出し生地３７９として押出される。
【００６８】
図２１及び図２２において、バレル３７４先端には押出ダイ３１９が連結されており、本実施形態にあっては、この押出ダイ３１９は、バレル３７４の出口側の後端面に直径６５ｍｍの円形を成す流入口３１３、成形ダイ側の先端面に幅６５ｍｍ、高さ２５ｍｍの略小判形状を成す射出口３１５を備えており、押出ダイ３１９内には、流入口３１３から射出口３１５に向けて徐々に小径に断面変形する連通孔が形成されている。もっとも、この押出ダイ３１９は押出機３７０の大きさに応じて種々の大きさに形成できる。
【００６９】
押出ダイ３１９の先端には、フランジ３１７が取り付けられている。このフランジ３１７は、図２３に示す通り、押出ダイ３１９の射出口３１５と同形状の流入口３１６と、幅１５０．０ｍｍ、高さ３７．６ｍｍの方形の射出口３１８を備えており、フランジ３１７内には流入口３１６から射出口３１８にかけて徐々に大径に断面変形する連通孔３１７ａが形成されている。３１７ｂは貫通穴、３１７ｃは通し穴である。
【００７０】
フランジ３１７や押出ダイ３１９の周壁内に加熱手段たるヒ一タ（図示せず）を取り付けても良い。ヒータにより、押出機３７０より押し出された押出し生地３７９は、押出ダイ３１９及びフランジ３１７から連通孔を経る際にも加熱保温されるので、押出ダイ３１９から成形ダイ３１０内へ流動する押出生地３７９の流動状態が良好となる。
【００７１】
しかも、押出ダイ３１９は、通常の一般的なダイとは異なり射出口３１５が大きいため、多量の溶融原料（本実施形態にあっては木質合成粉）を吐出することができ、且つ圧密を促進することが可能な形状に形成されているので、通常の押出ダイで生じていたようなダイの目詰まりが生じない。
【００７２】
（３）成形ダイ
図２１〜図２２において、３１０は成形ダイであり、上記連結手段を介して押出機３７０より押し出された押出し生地３７９が導入される。図２４に示す成形ダイ３１０の内側上下面は、図２５に示すプレート３１１が固定され、このプレート３１１が成形ダイ３１０の内壁を構成し、その内部に中子体３４０が収容されている。成形ダイ３１０は、導入された押出し生地３７９を加熱する溶融部３２１ａ及び溶融部３２１ａから押し出された押出生地３７９を徐冷する徐冷部３２１ｂから成る成形室３２２と、押出し生地３７９に中空部を形成する中子体３４０を備えている。成形ダイ３１０は、一例として、幅１０８０ｍｍ、高さ２４１．６ｍｍの矩形状の断面を成し、成形室３２２の入口から出口までの距離は１０００ｍｍとする。
【００７３】
本実施形態にあっては、溶融部３２１ａは、フランジ３１７の射出口３１８と同形状の入口から徐々に広がってゆき、押出し生地３７９が成形ダイ３１０内部で滞留することなく、円滑に横方向に広がることができるように形成されている。溶融部３２１ａの入口と同形状の断面形状を成す徐冷部３２１ｂが形成され、成形室３２２が押出し方向に一定の断面形状に形成されている。
【００７４】
成形室３２２は、冷却手段をそれぞれ備える上下２枚の金属板をその間の両側縁に配置した１対の金属製のスペーサを介装させて、サンドイッチ構造で形成された内部を構成するものである。成形室３２２は、断面方形に形成したものである。スペーサの交換により任意の目的とする成形板の肉厚が得られるように調整する。１対のスペーサは平面視で、中子体３４０の両側に配置されたものである。スペーサの基部は入口側空隙面積が減少されるようにせり出している。スペーサは板状であって、平面視でカーブした内側面を備え、基端面は端面と直交しており、略三角形のせり出し部を形成している。
【００７５】
図２２において、３１４はヒータで、電熱ヒータ等の加熱手段から成り、押出し生地３７９を加熱保温し、押出し生地３７９の流動性を維持するため、溶融部３２１ａの上下に等間隔で挿通して配管設置されている。
【００７６】
また、図２２に示す通り、３２５は冷却管で、成形室３２２の徐冷部３２１ｂを冷却する冷却手段の一例を示すもので、この冷却管３２５に冷却液を供給して成形室３２２内の押出し生地３７９をその外側から冷却する。この冷却管は、成形ダイ出口の方向に向けて約２分の１を占める徐冷部３２１ｂに、等間隔で挿通して配管設置されている。なお、冷却管３２５の間隔を次第に狭くするように設けることもでき、あるいは冷却管３２５を成形ダイ３１０の外壁に配設することもできるが、成形室３２２内の押出し生地３７９を冷却できればよいので、この構造に限定されない。
【００７７】
図２６に示す複数の取付穴３２６ａが形成された断熱板３２６と、図２７に示す複数の取付穴３２７ａが形成された補強板３２７が形成されている。断熱板３２６を設けたのは、熱損失を防止するためである。補強板３２７は、溶融部３２１ａの上下領域に設けることが好ましい。補強板３２７を設けたのは、内部にかかる押出し生地３７９の圧力で成形ダイ３１０の変形又は破損を防止するためである。断熱板３２６は、補強板３２７と成形ダイ３１０の間に介装されることが好ましい。補強板３２７の厚みは断熱板３２６の厚みより大きいことが好ましい。断熱板３２６の大きさは、幅１０８０ｍｍ×高さ２０ｍｍ×長さ６１５ｍｍである。補強板３２７の大きさは幅１０８０ｍｍ×高さ６１．２ｍｍ×長さ６１５ｍｍである。成形ダイ３１０に断熱板３２６及び補強板３２７を加えた高さは４０４ｍｍである。
図示は略すが熱電対が断熱板３２６及び補強板３２７に貫設され、ヒータ３１４の温度を計測可能になっている。
【００７８】
図２２、図２８に示す中子体３４０は、中空木質合成材３２９内に形成される中空部の断面形状と略同様の断面形状を有し、成形ダイ３１０の溶融部３２１ａから成形ダイ出口側に向かって押出し生地３７９の押出方向と略平行に突出する棒状部材３４８により構成されている。基部３４４（図２２参照）は、棒状部材３４８を固着するものである。基部３４４はガイドブロックの形状と構造であり、板材に少なくとも２個の上下に突出する突出部（例えば円柱形）を間隔を置いて備え、板材が押出し方向に尖っており、後端は丸くなっている。
【００７９】
本実施形態にあっては、棒状部材３４８は、図２８（ａ）〜（ｃ）に示すように構成されている。図２８（ａ）に示す通り、棒状部材３４８は長さを７５５ｍｍとし、成形ダイ３１０の入口側で円弧状になるように配置されている。これは成形ダイ３１０内に入ってきた押出し生地３７９との間に生じる摩擦抵抗を緩和し、押出し生地３７９が端部まで円滑に広がり易くするためである。
【００８０】
前記棒状部材３４８は、前記溶融部３２１ａから押出し生地３７９の押出方向に平行に突出して少なくとも前記徐冷部３２１ｂに延長している。
【００８１】
また、本実施形態にあっては、前記棒状部材３４８は、成形ダイ３１０の入口側、すなわち押出し生地３７９の押出方向上流側端部の両角部が平面において丸められており、且つ、図２２に示すように縦断面において半円弧状に膨出した、全体として丸みを帯びた形状に形成され、押出し生地３７９との間に生じる摩擦抵抗を緩和するよう形成されている。
【００８２】
棒状部材３４８は、中空木質合成材３２９内に形成する中空部の数に応じて適宜数とすることができ、断面形状も中空木質合成材３２９に形成する中空部の形状に応じて種々の形状を採ることが可能である。
【００８３】
中子体３４０は、棒状部材３４８が個々に独立して形成されていることから、該棒状部材３４８間に形成される間隙の上流において、押出し生地３７９導入の妨げとなるものは存在せず、該間隙に押出し生地３７９を円滑に流動させることが可能となる。従って、前記間隙内での押出し生地３７９の密度を高め、押出し生地３７９の不足によるリブの未形成等を効果的に防止することが可能となり、成形速度を上昇させた場合であっても、高品質の中空木質合成材を成形することができる。
【００８４】
前記棒状部材３４８は、前記成形ダイ３１０入口側において基部３４４と一体的に形成されている。本実施形態にあっては、前記基部３４４は、図２２に示すように二つの凸部を有しており、該二つの凸部を成形ダイ３１０内壁面に設けられた凹部とそれぞれ成合させることにより、基部３４４と一体的に形成されている棒状部材３４８を平行な状態に維持したまま、前記成形ダイ３１０の溶融部３２１ａの上下内壁に固着している。
【００８５】
基部３４４は、平面において、棒状部材３４８と同様、押出し生地３７９の押出方向上流側端部の両角部が丸められており、且つ、押出方向下流側端部に向かってその幅を狭める略流線形に形成されており、溶融部３２１ａを流れる押出し生地３７９が抵抗無く流れるよう構成されている。
【００８６】
棒状部材３４８は、成形ダイ３１０の溶融部３２１ａから成形ダイ出口側に向かって、その矩形状の断面を僅かに狭めるテーパー状を成しており、従って成形ダイ出口方向に向かって中空木質合成材３２９を押出し易い形状に構成されている。
【００８７】
この基部３４４を固着する成形ダイ３１０の上部内壁面には、成形ダイ３１０の壁面を貫通して、水、油等の液体、空気、その他のガス等の冷却媒体を供給する図示せざる冷却媒体の供給源と連通された導入路３４１が形成されており、この冷却媒体の導入路３４１が成形ダイ３１０の壁面及び基部３４４を貫通して溶融部３２１ａにおける中子体３４０の棒状部材３４８に至り、徐冷部３２１ｂにおいて棒状部材３４８内に形成された後述の冷却媒体の流路３４２に連通している。
【００８８】
棒状部材３４８内に形成された冷却媒体の導入路３４１は、断熱材３４３にて包囲されており、導入路３４１内を通過する冷却媒体が該部において押出し生地を冷却することを防止すると共に、冷却媒体の温度を保ち、後述の冷却媒体の流路３４２に冷却媒体が導入されたときの冷却効果の向上を図っている。
【００８９】
本実施形態にあっては、外周に断熱材としてミオレックスＰＭＸ−５７５（菱電化成）を配置した直径４ｍｍの金属製パイプにて成形ダイ３１０の壁面、基部３４４及び中子体３４０を貫通し、これを冷却媒体の導入路３４１としている。
【００９０】
本実施形態にあっては、流路３４２は、一端において前述のように冷却媒体の導入路３４１に連通し、他端を中子体３４０の端部（成形ダイ３１０の出口方向）において開口するものとする。流路３４２内に導入された冷却媒体は、棒状部材３４８内に形成された流路３４２及び中空木質合成材３２９内に形成された中空部を通過するときに押出し生地３７９及び中空木質合成材３２９を内部より徐冷する。
【００９１】
尚、前記流路３４２は、前述の構成に代えて、例えば徐冷部３２１ｂの棒状部材３４８内において成形ダイ３１０の出口側の端部で連通する二重管構造とし、この一方を冷却媒体の導入源に連通すると共に、他方を冷却媒体の排出口に連通して、冷却媒体である例えば冷却水や冷却油が、中子体３４０内を循環するよう構成しても良く、押出し生地３７９を内側より徐冷し得る構成であれば導入される冷却媒体の種類、その他各種の条件の変更にしたがって種々の設計変更が可能である。
【００９２】
成形ダイ３１０の内壁面は、フッ素樹脂により被覆されていることが好ましい。このフッ素樹脂の被覆方法としては、フッ素樹脂を直接表面にコーティングすることによって行っても良いが、交換が容易であり且つ耐久性に富むという点で、母材となるシートにフッ素樹脂をコーティングしたフッ素樹脂シート３５０’の貼設により行うことが好ましい。
【００９３】
フッ素樹脂シート３５０’は、成形室３２２の上下の内壁面、すなわち中空木質合成材３２９の表裏面を形成する面に相当する内壁面のみに施すこともできるが、成形室３２２の上下左右の内壁面全体に一連に貼設することが好ましい。
【００９４】
成形ダイ３１０内壁面に貼設するフッ素樹脂シート３５０’としては、ガラス繊維の織物を母材とし、これにフッ素樹脂をコーティングしたもの（以下、本明細書において「ガラス繊維フッ素樹脂シート」という。）等を使用することもできるが、後述するフッ素樹脂分散液を含浸させ、乾燥、焼成して成るアラミド繊維の織布（以下、本明細書において「アラミド繊維フッ素樹脂シート」という。）を用いることが好ましい。前記収容体３５０を形成するフッ素樹脂シート３５０’としては、収容体３５０として形成しうるものであれば如何なるものであってもよい。
【００９５】
前記成形ダイ３１０内壁面と同様、押出し生地３７９との摩擦を緩和するため、前記中子体３４０の棒状部材３４８をフッ素樹脂シート３５０’の収容体３５０にて個々に被覆するか又は中子体３４０の全部又は一部（基端部が好ましい）を被覆することが好ましい。収容体３５０は、着脱・交換が容易であると共に、立体形状の中子体３４０に対しての使用に好適である。
【００９６】
このアラミド繊維フッ素樹脂シート３５０’の母材を構成するアラミド（全芳香族ポリアミド）は耐熱性に優れ、高強度、高ヤング率であるため強化材としても使用されており、図３０の通り、このアラミド繊維の織布を母材とする該フッ素樹脂シート３５０’は、立体形状である中子体３４０に取り付けて使用するに適した柔軟性と耐屈曲特性を有すると共に、高い引張り強さを備えることから長期間の使用にも耐え得るものとなっている。
【００９７】
該アラミド繊維フッ素樹脂シート３５０’に用いられるフッ素樹脂としては、ポリ四フッ化エチレン（テフロン（登録商標）ＴＦＥ；デュポン社）、フッ化エチレン−プロピレンコポリマ（テフロン（登録商標）ＦＥＰ）、ポリ三フッ化塩化エチレン（テフロン（登録商標）ＣＴＦＥ）、ポリフッ化ビニリデン（テフロン（登録商標）ＶｄＦ）等が挙げられる。
【００９８】
尚、本実施形態にあっては、前記アラミド繊維フッ素樹脂シート３５０’として、本多産業（株）製のライナーベルト用フッ素樹脂コーティングシート「マックスライナーベルト」（ＨＡＳ−Ｐ５０６）を用いている。
【００９９】
前記アラミド繊維フッ素樹脂シート３５０’の収容体３５０による被覆は、押出し生地３７９との摩擦を緩和すべく、前記棒状部材３４８のうち、少なくとも押出し生地３７９の押出方向上流側端部において行なうが、棒状部材３４８全体に対して行なってもよく、本実施形態にあっては、溶融部３２１ａ内における棒状部材３４８全体について被覆する。
【０１００】
前記アラミド繊維フッ素樹脂シート３５０’は、柔軟性と耐屈曲特性を有するため、これを縫着、接着等して接合することによって、一例として図２９に示すような袋状体３５３の収容体３５０を形成することができる。
【０１０１】
アラミド繊椎フッ素樹脂シート３５０’の袋状体３５３は、例えば図２９（Ａ）〜図２９（Ｃ）に示すように、一枚の略矩形状のアラミド繊維フッ素樹脂シート３５０’の長辺ｂ，ｄを、向かい合う短辺ａ，ｃが重なり合うよう中央Ｘ−Ｘ線で折り返し、この折り返しにより辺ｂ及び辺ｄがＸ−Ｘ線を中心に二分されることによりそれぞれ形成された辺ｂ’と辺ｂ’’，辺ｄ’と辺ｄ’’とを、それぞれ図２９（Ｂ）に破線で示す縫着線に沿って縫着した後、縫い目が内側となるよう裏返すことによって形成することができる。
【０１０２】
尚、前述の形成法に代えて、図２９（Ａ）のＸ−Ｘ線において分割されている二枚の略矩形状のシートを使用してもよく、この場合には辺ａと辺ｃを除く３辺を同様に縫着する。
【０１０３】
前記棒状部材３４８の形状に対応する、一辺の開口した袋状体３５３の収容体３５０を形成し、この袋状体３５３を成形ダイ３１０の入口側から押出し生地３７９の押出方向に向かって中子体３４０の棒状部材３４８へ被せることにより、前記棒状部材３４８をアラミド繊維フッ素樹脂シート３５０’の収容体３５０で被覆することができる。
【０１０４】
本実施形態の中子体３４０は棒状部材３４８が独立して形成されているため、従来の結合部を有する中子体３４０と比較して、前記フッ素樹脂シート３５０’の収容体３５０による被覆を個々に行なうことが可能となると共に、その着脱も容易となる。
【０１０５】
また、前記フッ素樹脂シート３５０’の袋状体３５３の長さを変更することにより、棒状部材３４８を被覆する長さを容易に調整することができる。
【０１０６】
本実施形態にあっては、前記アラミド繊維フッ素樹脂シート３５０’の袋状体３５３の収容体３５０が被覆するのは溶融部３２１ａ内における棒状部材３４８であって、押出し生地３７９は該溶融部３２１ａにおいては冷却されず溶融状態を維持しているため、押出し生地３７９と接触する袋状体３５３の表面がこの縫い目により多少凹凸を有していても、この凹凸は最終的に得られる中空木質合成材３２９の形状に影響を与えない。
【０１０７】
尚、前記棒状部材３４８と一体的に形成されて成る基部３４４の側面についても、前記アラミド繊維フッ素樹脂シート３５０’の収容体３５０を被覆してもよい。これにより、基部３４４平面の略流線形状と相侯って押出し生地３７９を抵抗無く流動させることができる。
【０１０８】
次に変更形態の中子体４４０及びアラミド繊維フッ素樹脂シート４５０’を図３２乃至図３４を参照し説明する。対応する構成要素は４００番台とし、共通する構成は説明を援用する。
【０１０９】
中子体４４０のように、棒状部材４４８を成形ダイ４１０の溶融部４２１ａ内で結合する結合部４４５が設けられている場合には、棒状部材４４８間に形成される間隙の上流がこの結合部４４５において閉ざされているため、この結合部４４５の存在が、中空木質合成材３２９を形成する成形ダイ４１０に対し押出し生地３７９が導入される際の妨げと成ると共に、押出し生地３７９の流路面積を狭め、押出し生地３７９の流れに抵抗を与えるものとなっている。
【０１１０】
本変更形態にあっては図３２及び図３３に示すように、棒状部材４４８を成形ダイ４１０の溶融部４２１ａ内において棒状部材４４８と一体的に形成された結合部４４５により結合しており、中子体４４０は、この結合部４４５及び棒状部材４４８より形成されている。
【０１１１】
本変更形態にあっては、棒状部材４４８を結合して成る中子体４４０の結合部４４５は、ブロック状であり、結合部４４５の押出し生地３７９の押出方向上流側端部は、平面において両角部が丸められており、且つ、縦断面において半円弧状に膨出した全体として丸みを帯びた形状に形成され、押出し生地３７９との間に生じる摩擦抵抗を緩和するよう形成されている。
【０１１２】
また、図３３に示すように中子体４４０は、成形ダイ４１０入口側の前記結合部４４５において成形ダイ４１０の溶融部４２１ａの上下内壁に固着された基部４４４と一体的に形成されており、前記基部４４４は、溶融部４２１ａを流れる押出し生地３７９が抵抗無く流れるよう、平面において流線形に形成されている。
【０１１３】
アラミド繊維フッ素樹脂シート４５０’の収容体４５０により、中子体４４０全体を被覆しても良いが、溶融部４２１ａ内に位置する中子体４４０の少なくとも一部分に対して被覆され、結合部４４５に対して被覆される。
【０１１４】
アラミド繊維フッ素樹脂シート４５０’は、その柔軟性と耐屈曲特性により一例として図３４に示すように、これを縫着、または接着剤にて接着する等して接合することにより袋状体４５３の収容体４５０を形成することもでき、結合部４４５の形状に対応する、一辺の開口した袋状体４５３を形成し、この袋状体４５３を成形ダイ４１０の入口側から押出し生地３７９の押出方向に向かって中子体４４０の端部又は結合部４４５へ被せることにより、中子体４４０をアラミド繊維フッ素樹脂シート４５０’の収容体４５０で被覆することができる。
【０１１５】
アラミド繊維フッ素樹脂シート４５０’の袋状体４５３は、例えば図３４（Ａ）〜図３４（Ｃ）に示すように、一枚の略矩形状等のアラミド繊維フッ素樹脂シート４５０’の長辺ｂ，ｄを、向かい合う短辺ａ，ｃが重なりあうよう中央ｘ−ｘ線で折り返し、この折り返しにより辺ｂ及び辺ｄがｘ−ｘ線を中心に二分されることにより夫々形成された辺ｂ’と辺ｂ’’，辺ｄ’と辺ｄ’’とを、それぞれ図３４（Ｂ）に破線で示す縫着線にそって縫着した後、縫い目が内側となるように折り返すことによって形成することができる。
【０１１６】
図３４に示す通り、アラミド繊維フッ素樹脂シート４５０’の袋状体４５３が、結合部に形成された傾斜部の形成位置をも被覆可能なサイズに形成されている場合には、このうち、傾斜部に対応する部分については、切り取ることにより傾斜部を袋状体４５３より露出させ、または、切り込みを入れる等して傾斜部の形状に沿わせるなどして、傾斜部の傾斜形状を維持できるようにする。
【０１１７】
前述の押出成形装置３０１を使用し、表１に示すように、成形ダイ３１０内壁面にアラミド繊維フッ素樹脂シートを貼設し、中子体４４０を前記アラミド繊維フッ素樹脂シート４５０’の袋状体４５３〔図３４（Ｃ）参照〕の収容体４５０で被覆した場合（形態１）と、形態１で中子体４４０に被覆した袋状体４５３の収容体４５０に代えて、アラミド繊維フッ素樹脂シート４５０’の筒状体４５４の収容体４５０で中子体４４０を被覆した場合（形態２）、及び、比較例として、成形ダイ３１０内壁面にアラミド繊維フッ素樹脂シートを貼設し、中子体３４０には直接フッ素樹脂をコーティングした場合（比較例１、比較例３）と、比較例１で成形ダイ３１０内壁面に貼設したアラミド繊維フッ素樹脂シートに代え、ガラス繊維フッ素樹脂シートを成形ダイ３１０内壁面に貼設した場合（比較例２、比較例４）の成形結果について比較した。
【０１１８】
【表１】
2004068582.tif 000003
アラミド繊維フッ素樹脂シート…ＨＡＳ，ガラス繊維フッ素樹脂シート…ＨＧＳ
【０１１９】
上記実施形態の成形結果を示すと次のようになる。
スクリュー回転速度が５０ｒ．ｐ．ｍ．の場合、成形速度が４．９２Ｍ／Ｈ、吐出量が８１．０Ｋｇ／Ｈ、生地圧力が４．０Ｍｐａとなる。
スクリュー回転速度が４０ｒ．ｐ．ｍ．の場合、成形速度が４．０２Ｍ／Ｈ、吐出量が６０．３Ｋｇ／Ｈ、生地圧力が３．０Ｍｐａとなる。
【０１２０】
中子体４４０にフッ素樹脂を直接コーティングした場合（比較例１）と、アラミド繊維フッ素樹脂シート４５０’の収容体４５０で被覆した場合（実施形態１及び実施形態２）を比較すると、成形速度についてはそれほど差がなく、また、アラミド繊維フッ素樹脂シートが貼設された成形ダイ３１０内壁と接触して成形される中空木質合成材３２９の板部分についても、両者に目立った外観の差異はみられなかった。
【０１２１】
しかし、中空木質合成材３２９のリブ４３０部分については、外観の差異が著しく、比較例１の場合にはリブ４３０表面が十分に平坦とならず、窪み等の成形不良が生じることが確認された。また、押出機３７０から成形ダイ３１０内に押し出される押出し生地３７９の圧力を測定した「生地圧力」についても、比較例１が最も高い数値を示す。
【０１２２】
このことから、中子体４４０がフッ素樹脂で直接コーティングされている比較例１にあっては、押出し生地３７９は成形ダイ３１０の入口側では高圧力であるにも拘わらず、成形ダイ３１０内の成形部位においては中子体４４０の複数の棒状部材間３４８に形成される間隙内に押出し生地３７９を十分に導入し得る程、圧力が高まっていないことが判る。このような現象は、未だ押出し生地３７９と中子体４４０との間に生じる摩擦抵抗が大きく、成形ダイ３１０の入口付近における押出し生地３７９がいわば栓のような役目をしているため、押出機３７０からの吐出圧力が効率的に成形ダイ３１０内の生地圧力を上昇し得ないためと考えられる。
【０１２３】
これに対し、中子体４４０をフッ素樹脂シート４５０’の収容体４５０で被覆している実施形態１及び実施形態２にあっては、比較例１のような成形不良は確認できず、リブ３２９ｃ部分においても綺麗な外観を呈する中空木質合成材３２９が得られた。このことから、実施形態１及び実施形態２にあっては、押出し生地３７９と中子体３４０との間の摩擦抵抗が比較例１に比べて十分に低減されていると考えられる。
【０１２４】
以上より、中子体４４０には、フッ素樹脂を直接コーティングするよりも、フッ素樹脂シート４５０’の収容体４５０で被覆するほうが、好ましい成形結果を得られるということが確認できた。
【０１２５】
また、中子体４４０を被覆するフッ素樹脂シート４５０’の収容体４５０を、袋状体４５３とする場合（実施形態１）と、筒状体４５４とする場合（実施形態２）について比較すると、実施形態２は、実施形態１に比較してさらに生地圧力が低く、成形ダイ３１０の入口側で掛けられた圧力が、効率良く成形ダイ３１０の内部にまで伝わっていることが判る。これは、実施形態２で使用したアラミド繊維フッ素樹脂シート４５０’の筒状体４５４が、中子体４４０の結合部４４５のみならず棒状部材４４８ａ〜４４８ｇの上流側端部までもアラミド繊維フッ素樹脂シート４５０’の収容体４５０で被覆可能な形状に形成されているために、実施形態１のものと比較して中子体４４０と押出し生地３７９との摩擦を更に軽減することができ、押出し生地３７９の流動がより滑らかとなるためと考えられる。このように、実施形態２にあっては、成形ダイ３１０の入口側で加えられた圧力を、より効率よく成形ダイ３１０の成形部位に対して伝えることができることから、同じスクリュ３７１の回転数において、実施形態１に比較して成形速度（引取速度）を上昇させた場合でも成形ダイ３１０内の生地圧力の低下を推持でき、より効率的に中空木質合成材３２９を製造することが可能となる。
【０１２６】
成形ダイ３１０内壁面にアラミド繊維フッ素樹脂シートを貼設した場合（比較例１及び比較例３）と、ガラス繊維フッ素樹脂シートを貼設した場合（比較例２及び比較例４）では、成形速度については、同一のスクリュ回転数で比較すると両者に目立った差異は見られず（比較例１：２、比較例３：４）、また、両者とも、スクリュ回転数が４０（ｒｐｍ）（比較例３、比較例４）から５０（ｒｐｍ）（比較例１、比較例２）へと上昇するのに伴い、吐出量及び成形速度が上昇していることがわかる。
【０１２７】
しかし、中空木質合成材３２９の外観については、比較例４では、中空木質合成材３２９の板部分に歪み等の成形不良が生じる場合があり、また、スクリュ回転数を５０（ｒｐｍ）とする比較例２においては、吐出量、成形速度の上昇に伴い、比較例４よりもこの現象が著しいものとなった。よって、成形ダイ３１０内壁面にガラス繊維フッ素樹脂シートを貼設した場合にあっては、スクリュ回転数が４０（ｒｐｍ）を超えたあたりから中空木質合成材３２９の品質に劣化が生じ、スクリュ回転数を高めると、それに伴い劣化の度合いも大きくなるといえる。
【０１２８】
これに対し、比較例１及び比較例３では、中空木質合成材３２９の板部分については綺麗な外観を呈する中空木質合成材３２９を成形することができた。このことから、成形ダイ３１０内壁面にアラミド繊維フッ素樹脂シートを貼設した場合にあっては、スクリュ回転数が４０（ｒｐｍ）また５０（ｒｐｍ）を超えても、上記のような成形不良が生じることはなく、中空木質合成材３２９の品質に劣化が生じないといえる。
【０１２９】
以上より、中空木質合成材３２９の板部分の成形の観点からは、成形ダイ３１０の内壁面に対してフッ素樹脂シートを貼設することが好ましく、また、貼設するフッ素樹脂シートとしては、成形不良等の品質の劣化を生じさせることなく成形速度の向上が可能であるという点において、ガラス繊維フッ素樹脂シートに比較してアラミド繊維フッ素樹脂シート３５０’を用いることがより好ましいことが確認できた。
【０１３０】
また、中子体３４０にフッ素樹脂を直接コーティングしたこれらの比較例１〜４にあっては、全てにおいて中空木質合成材３２９のリブ部分の成形不良が見られた。このことから、成形速度を向上させ、且つ板部分及びリブ部分の双方について成形不良の生じていない中空木質合成材を製造するためには、中子体４４０をアラミド繊維フッ素樹脂シート４５０’の収容体４５０で被覆すると共に、成形ダイ３１０の内壁にアラミド繊維フッ素樹脂シート４５０’を貼設した実施形態１及び実施形態２の実験装置が最も適していることが確認できた。
【０１３１】
また、上記ログハウス型構造物の原材料となる中空木質合成材は、次に挙げる数々の特徴を備える。
優れた曲げ合成を備えている（ＭＤＦの約２倍）。伸縮が少ない。アルミ並みの寸法安定性がある。表面硬度が固い（木材の約５倍、耐磨耗性はレッドシダーの約７倍）。木ねじ保持力が木材より優れている（パーティクルボードの約４倍、ＭＤＦの約５倍）。水に強くて腐らない（水に３０日間つけても３％程度しか吸水しない）。耐熱性がよい（１２０℃の高温でも軟化しない）。屋外に長期間置いても割れたりしない（−３０℃での低温にも耐えられる）。虫が食わない。カビない。天然木の感触がある。木粉を大量に含むので加工も簡単である。彫刻加工が自由である。パーティクルボード、ＭＤＦ、合板など従来の建築材料などに含まれる接着剤（ホルムアルデヒド）の害が無い。独特の木質感、自然感を出すことができ、自然木と見分けが付かない落ち着いた深みのある外観であり、光反射が少なく、高級感が演出できる。着色も自在であり、ブラック、グリーン、レッド等、種々の美しく素晴らしい趣のある色感を出せる。ムク板状を中空形状にして軽量化することができる。低コストで生産できる。何度でもリサイクルできる。
【０１３２】
尚、本発明は、上述の実施の形態に限定されるものではなく、本発明の技術的思想を逸脱しない範囲に於て、改変等を加えることが出来るものであり、それらの改変、均等物等も本発明の技術的範囲に含まれることとなる。
【図面の簡単な説明】
【図１】実施形態１におけるログハウス型構造物１０の分解斜視図である。
【図２】第１木質合成材１１の平面図（ａ）及び側面図（ｂ）である。
【図３】実施形態１におけるログハウス構造物１０壁体の断面図（ａ）及び角部の外観斜視図（ｂ）である。
【図４】実施形態１の変更例のログハウス型構造物１０の正面図（ａ）、裏面図（ｂ）、平面図（ｃ）、Ａ−Ａ’断面図（ｄ）及びＢ−Ｂ’断面図（ｅ）である。
【図５】実施形態１におけるログハウス構造物１０の組み立て方法を示す説明斜視図である。
【図６】実施形態１におけるログハウス構造物１０の変更形態の斜視図である。
【図７】木質合成材の変形例の断面図（ａ）〜（ｅ）である。
【図８】実施形態１の変形例のログハウス型構造物（ａ）〜（ｄ）の斜視図である。
【図９】実施形態２のログハウス型構造物５０の斜視図である。
【図１０】同ログハウス型構造物５０の角部の内部から見た拡大斜視図である。
【図１１】同ログハウス型構造物５０の角部の外部から見た拡大斜視図である。
【図１２】実施形態３のログハウス型構造物１００の角部の外部から見た拡大斜視図である。
【図１３】実施形態４のログハウス型構造物１５０の角部の外部から見た拡大斜視図である。
【図１４】同ログハウス型構造物１５０の拡大斜視図である。
【図１５】同ログハウス型構造物１５０の接合部の拡大斜視図である。
【図１６】同ログハウス型構造物１５０の接合部の拡大正面図である。
【図１７】実施形態５のログハウス型構造物２００の接合部の拡大正面図である。
【図１８】実施形態６のログハウス型構造物２５０の壁体の拡大縦断面図である。
【図１９】中空第１木質合成材１１１に発泡体２８１を充填している断面説明図である。
【図２０】間仕切り材としての中空木質合成材の設置断面図である。
【図２１】本発明の実施形態における押出成形装置３０１の押出機３７０の一部断面図である。
【図２２】本発明の実施形態における押出成形装置３０１の連結手段及び成形ダイ３１０の一部断面図である。
【図２３】（ａ）はフランジ３１７の正面図、（ｂ）はフランジ３１７の平面図、（ｃ）はフランジ３１７の側面図、（ｄ）はフランジ３１７の流入口３１６の詳細図である。
【図２４】（ａ）は成形ダイ３１０（金型）平面図、（ｂ）は成形ダイ３１０（金型）の正面図、（ｃ）は成形ダイ３１０（金型）の側面である。
【図２５】（ａ）はプレート３１１の平面図、（ｂ）はプレート３１１の正面図、（ｃ）はプレート３１１の側面図である。
【図２６】（ａ）は断熱板３２６の平面図、（ｂ）は断熱板３２６の正面図である。
【図２７】（ａ）は補強板３２７の平面図、（ｂ）は補強板３２７の正面図である。
【図２８】（ａ）は棒状部材３４８の平面／正面図、（ｂ）は棒状部材３４８の側面断面図、（ｃ）は棒状部材３４８の側面図である。
【図２９】本発明の実施形態におけるアラミド繊維フッ素樹脂シートの袋状体の収容体の形成方法を示した図であり、（Ａ）は略矩形状のアラミド繊維フッ素樹脂シート、（Ｂ）は（Ａ）のシートを中央Ｘ−Ｘ線で折り返し縫着した状態、（Ｃ）は（Ｂ）のシートを裏返すことにより形成された袋状体を示す。
【図３０】（ａ）はアラミド繊維フッ素樹脂シート３５０’の平面図、（ｂ）はアラミド繊維フッ素樹脂シート３５０’のＸＸＶＩＩＢ−ＸＸＶＩＩＢ断面図である。
【図３１】中空木質合成材３２９の正面図である。
【図３２】本発明の変更形態における押出成形装置の成形ダイ４１０の平面断面図である。
【図３３】本発明の変更形態における中子体４４０の一部縦断面図である。
【図３４】本発明の変更形態におけるアラミド繊維フッ素樹脂シート４５０’の収容体４５０（袋状体４５３）の形成方法を示した図　であり、（Ａ）は略矩形状のアラミド繊維フッ素樹脂シート４５０’、（Ｂ）は（Ａ）のシート４５０’を中央ｘ−ｘ線で折り返し縫着した状態、（Ｃ）は（Ｂ）のシート４５０’を裏返すことにより形成された袋状体４５３の収容体を示す。
【符号の説明】
１０…ログハウス　　　１１…木質合成材　１２…透光板材　　　１３…屋根部
１４…扉部　　　１６…ログハウス基部　１７…ジョイント部材　　　２１…溝部
２２…交差溝部　　　２３…貫通孔　２５…ウレタン発泡材　　　２４…リブ
３１…貫通穴　　　３２…突起　５７…屋根材　　　　５８…屋根開閉材
３０１…押出し成形装置　　３１０…成形ダイ　３１３…流入口（押出しダイの）
３１４…ヒータ　３１５…射出口（押出しダイの）
３１６…流入口（フランジの）　　３１７…フランジ
３１８…射出口（フランジの）　　　　３１９…押出しダイ
３２１ａ…溶融部　　　　３２１ｂ…徐冷部　　　　３２２…成形室
３２５…冷却管　　　　３２９…中空木質合成材
３２９ｃ…リブ　　　　　　　３４１…導入路
３４２…流路　　　　３４３…断熱材
３４４…基部　　　　　３４８…棒状部材
３５０…フッ素樹脂シートの収容体
４５０’…（アラミド繊維）フッ素樹脂シート
４５３…袋状体　　　　４５４…筒状体
３７０…押出し機　　　　３７１…スクリュ
３７２…ギヤ減速機　　　　３７３…ホッパ　　　　３７４…バレル
３７５…バンドヒータ　　　　３７９…押出し生地
【図１】
2004068582.tif 000004
【図２】
2004068582.tif 000005
【図３】
2004068582.tif 000006
【図４】
2004068582.tif 000007
【図５】
2004068582.tif 000008
【図６】
2004068582.tif 000009
【図７】
2004068582.tif 000010
【図８】
2004068582.tif 000011
【図９】
2004068582.tif 000012
【図１０】
2004068582.tif 000013
【図１１】
2004068582.tif 000014
【図１２】
2004068582.tif 000015
【図１３】
2004068582.tif 000016
【図１４】
2004068582.tif 000017
【図１５】
2004068582.tif 000018
【図１６】
2004068582.tif 000019
【図１７】
2004068582.tif 000020
【図１８】
2004068582.tif 000021
【図１９】
2004068582.tif 000022
【図２０】
2004068582.tif 000023
【図２１】
2004068582.tif 000024
【図２２】
2004068582.tif 000025
【図２３】
2004068582.tif 000026
【図２４】
2004068582.tif 000027
【図２５】
2004068582.tif 000028
【図２６】
2004068582.tif 000029
【図２７】
2004068582.tif 000030
【図２８】
2004068582.tif 000031
【図２９】
2004068582.tif 000032
【図３０】
2004068582.tif 000033
【図３１】
2004068582.tif 000034
【図３２】
2004068582.tif 000035
【図３３】
2004068582.tif 000036
【図３４】
2004068582.tif 000037